(57)【特許請求の範囲】
【請求項１】
本体を有する配管継手であって、前記配管継手の前記本体は、
本体部分であって、第１の端部および前記第１の端部の反対側の第２の端部と、前記本体を通じて前記第１の端部から前記第２の端部まで延伸する主筒と、前記本体部分の前記第１の端部の周囲の第１のフレアナットと、前記本体部分の第２の端部の周囲に第２のフレアナットとを備える本体部分であって、前記第１の端部は、第１のポートを囲み、前記第２の端部は、第２のポートを囲み、前記第１のフレアナットは、前記本体の前記第１の端部に第１の導管を接続するように構成され、前記第２のフレアナットは、前記本体の前記第２の端部に第２の導管を接続するように構成される前記本体部分と、
前記本体部分から延伸し、フレア状面を有する周辺体部分であって、遠位端部と、前記周辺体部分の前記遠位端部を囲む第３のフレアナットと、サンプリング孔が前記主筒と流体連通するように前記周辺体部分を通じて延伸する前記サンプリング孔とを含む周辺体部分と、
を備え、前記第３のフレアナットが、前記周辺体部分から取り外せないように、前記本体部分と前記周辺体部分の前記フレア状面との間に配置される前記配管継手と、
前記主筒がサンプリングバルブによって妨げられず、前記サンプリングバルブの使用が、前記配管継手の前記主筒を通過する流体の圧力降下を実質的に与えないように、前記配管継手の前記周辺体部分に螺合され、前記主筒の中へ延伸せずに、前記サンプリング孔の中へ少なくとも部分的に延伸する前記サンプリングバルブであって、サンプリングポートを含む排出管を備える前記サンプリングバルブと
を備え、前記第３のフレアナットのねじ切りは、サンプリングバルブのねじ切りと螺合する配管アセンブリ。
【請求項２】
本体部分であって、第１の端部および前記第１の端部の反対側の第２の端部と、前記本体を通じて前記第１の端部から前記第２の端部まで延伸する主筒と、前記本体部分の前記第１の端部の周囲の第１のフレアナットと、前記本体部分の第２の端部の周囲に第２のフレアナットとを備える本体部分であって、前記主筒は主軸を規定し、前記第１の端部は、第１のポートを囲み、前記第２の端部は、第２のポートを囲み、前記第１のフレアナットは、前記本体の前記第１の端部に第１の導管を接続するように構成され、前記第２のフレアナットは、前記本体の前記第２の端部に第２の導管を接続するように構成される前記本体部分と、
前記本体部分から延伸し、フレア状面を有する周辺体部分であって、前記周辺体部分は、遠位端部と、前記周辺体部分の前記遠位端部を囲む第３のフレアナットと、サンプリング孔が前記主筒と流体連通するように前記周辺体部分を通じて延伸する前記サンプリング孔とを含み、前記第３のフレアナットは、前記周辺体部分から取り外せないように、前記本体部分と前記周辺体部分の前記フレア状面との間に配置され、前記周辺体部分は、前記主筒がサンプリングバルブによって妨げられず、前記サンプリングバルブの使用が、配管継手の動作中に前記主筒を通過する流体の圧力降下を実質的に与えないように、前記サンプリングバルブをネジ式に受け入れるように構成され、サンプリングポートを含む排出管を備える前記サンプリングバルブと
を備える本体
を備え、前記サンプリングバルブはサンプリング軸のまわりを回転可能に接続され、排出管に沿って延びる出口軸は、前記主軸に対して０°〜３６０°のサンプリング角度を形成する配管継手。
【請求項３】
本体を有する配管継手であって、前記本体は、
本体部分であって、第１の端部および前記第１の端部の反対側の第２の端部と、前記本体を通じて前記第１の端部から前記第２の端部まで延伸する主筒と、前記本体部分の前記第１の端部の周囲の第１のフレアナットと、前記本体部分の第２の端部の周囲に第２のフレアナットとを備える前記本体部分であって、前記主筒は主軸を規定し、前記第１の端部は、第１のポートを囲み、前記第２の端部は、第２のポートを囲み、前記第１のフレアナットは、前記本体の前記第１の端部に第１の導管を接続するように構成され、前記第２のフレアナットは、前記本体の前記第２の端部に第２の導管を接続するように構成される前記本体部分と、
前記本体部分から延伸し、フレア状面を有する周辺体部分であって、遠位端部と、前記周辺体部分の前記遠位端部を囲む第３のフレアナットと、サンプリング孔が前記主筒と流体連通するように前記周辺体部分を通じて延伸する前記サンプリング孔とを含む周辺体部分と、
を備える前記配管継手と、
前記主筒がサンプリングバルブによって妨げられず、前記サンプリングバルブの使用が、前記配管継手の動作中に前記主筒を通過する流体の圧力降下を実質的に与えないように、前記配管継手の前記周辺体部分に螺合され、前記主筒の中へ延伸せずに、前記サンプリング孔の中へ少なくとも部分的に延伸するサンプリングバルブであって、サンプリングポートを含む排出管を備える前記サンプリングバルブと、
導管を介して前記配管継手から上流の前記配管継手に結合された遮断バルブであって、前記遮断バルブの閉止は、前記サンプリングバルブが配管継手から取り外され、別の器具と交替されることを可能にする前記遮断バルブと
を備え、前記サンプリングバルブはサンプリング軸のまわりを回転可能に接続され、排出管に沿って延びる出口軸は、前記主軸に対して０°〜３６０°のサンプリング角度を形成する配管システム。
【請求項４】
前記別の器具は、別のサンプリングバルブまたは圧力計と、静的ミキサと、温度計と、速度計と、比重計と、プラグとを備え、前記サンプリングバルブが前記配管継手から取り外される際に、前記サンプリング孔のネジ式のポートに螺合するように、ねじ切りされる請求項３に記載の配管システム。
【請求項５】
前記サンプリングバルブは、高圧バルブ（ＨＰＶ）またはコンパクトなダイアフラムバルブ（ＣＤＶ）である請求項１、２、または３のいずれか一項に記載の配管アセンブリ、配管継手、または配管システム。
【請求項６】
前記サンプリングバルブは、手動または空気圧式である請求項１、２、または３のいずれか一項に記載の配管アセンブリ、配管継手、または配管システム。
【請求項７】
前記サンプリング孔は、内径ＩＤｓｂ１を有する第１の部分と、内径ＩＤｓｂ２を有する第２の部分とを有し、ＩＤｓｂ１＜ＩＤｓｂ２である請求項１、２、または３のいずれか一項に記載の配管アセンブリ、配管継手、または配管システム。
【請求項８】
ＩＤｓｂ１＜ＩＤｓｂ２の８０％である請求項７に記載の配管アセンブリ。
【請求項９】
ＩＤｓｂ１＞ＩＤｓｂ２の５０％である請求項８に記載の配管アセンブリ。
【請求項１０】
前記サンプリング孔は、内径ＩＤｓｂ１を有する第１の部分を有し、前記主筒は、内径ＩＤｍｂを有し、ＩＤｓｂ１＜ＩＤｍｂである請求項１、２、または３のいずれか一項に記載の配管アセンブリ、配管継手、または配管システム。
【請求項１１】
ＩＤｓｂ１≦ＩＤｍｂの４０．０％である請求項１０に記載の配管アセンブリ、配管継手、または配管システム。
【請求項１２】
前記サンプリングポートおよびその出口孔は、内径ＩＤＯを有し、前記サンプリング孔は、径ＩＤＩを有し、ＩＤＯ≦ＩＤＩである請求項１、２、または３のいずれか一項に記載の配管アセンブリ、配管継手、または配管システム。
【請求項１３】
ＩＤＯ≦ＩＤＩの７０．０％である請求項１２に記載の配管アセンブリ。
【請求項１４】
前記配管継手の前記本体の前記本体部分を通じた流体の流動は、圧力Ｐを含み、サンプリングバルブによってもたらされる圧力降下Ｐｄは、Ｐｄ≦Ｐの１．０％である請求項１、２、または３のいずれか一項に記載の配管アセンブリ、配管継手、または配管システム。
【発明の詳細な説明】
【技術分野】
【０００１】
本発明は、概して、バルブに関し、特に、着脱可能で且つ交換可能なサンプリングバルブをもつ配管継手のためのシステム、方法、および装置に関する。
【背景技術】
【０００２】
流体の流れを妨害せずにシステム内で流動する流体のサンプルを提供するサンプリングバルブは、流体配管システムにおいて共通して用いられる。従来のサンプリングバルブは、典型的には、構成部品を完全に一体化し、且つ永続的に取り付けたユニットを備える。このようなサンプリングバルブは、配管内に永続的に備え付けられる。サンプリングバルブユニット上のいずれかの構成部品が故障した際には、サンプリングバルブ全体を交換しなければならない。このようなサンプリングバルブの交換は、切断されて新しいユニットに再び取り付けられるサンプリングバルブに接続されたすべて導管を必要とする。この交換プロセスは、流体の流れの大幅な中断を必要とし、交換コストを付加する。
【発明の概要】
【発明が解決しようとする課題】
【０００３】
したがって、サンプリングバルブを交換するための改善されたシステム、方法、および装置は、引き続き重要である。
【課題を解決するための手段】
【０００４】
上記で簡単に要約した説明は、実施形態の特徴および利点が得られる方法が、より詳細に理解され得るように、添付の図面に示す実施形態を参照しながら、さらに具体化される。但し、図面は一部の実施形態のみを示しているのであって、したがって、他の同様に有効な実施形態であると本発明が認め得るその範囲を限定するものと見なすべきではない。
【図面の簡単な説明】
【０００５】
【図１】特有の実施形態による配管アセンブリの等角図を含む。
【図２】特有の実施形態による配管アセンブリの後部平面図を含む。
【図３】特有の実施形態による配管アセンブリの側面平面図を含む。
【図４】特有の実施形態による配管アセンブリの平面図を含む。
【図５】図４における線５−５に沿って切り取った特有の実施形態による配管アセンブリの断面図を含む。
【図６】別の特有の実施形態による配管アセンブリの等角図を含む。
【図７】別の特有の実施形態による配管アセンブリの側面平面図を含む。
【図８】別の特有の実施形態による配管アセンブリの平面図を含む。
【図９】図８における線９−９に沿って切り取った特有の実施形態による配管アセンブリの断面図を含む。
【図１０】さらに別の特有の実施形態による配管アセンブリの等角図を含む。
【図１１】配管システムの実施形態の概要図である。
【発明を実施するための形態】
【０００６】
個別の図面において、同一の参照シンボルの使用は、同様または同一のアイテムを示す。
【０００７】
図１〜図５を参照すると、交換可能なサンプリングバルブをもつ配管アセンブリの第１の実施形態を示し、概して、符号２０に指定する。配管アセンブリ２０は、配管継手２１と、サンプリングバルブアセンブリ４１とを含むことができる。図示するように、配管継手２１は、概して、Ｔ−状になり得るし、概して円筒状の本体部分２３と、本体部分２３から傾いて延伸する概して円筒状の周辺体部分２４とを有する本体２２を含むことができる。特有の態様において、周辺体部分２４は、本体部分２３から垂直に延伸することができる。
【０００８】
図５に最も明確に図示するように、本体部分２３は、第１のフレア状端部２６と、第２のフレア状端部２８とを含むことができる。各フレア状端部２６、２８のは、面取りすることができる、または、傾斜面もしくはフレア状の面２６’、２８’で形成することができる。傾斜面２６’、２８’の面は、第１のフレア状端部２６および第２のフレア状端部２８の上もしくはそれらの周囲に管もしくは導管の設置を容易にするようにランプが形成されるように、主筒２５の内部壁から本体部分２３の外部壁まで傾斜がある。
【０００９】
図５示すように、本体部分２３は、また、本体部分２３の長さ方向、例えば、本体部分２３の第１のフレア状端部２６から主軸２７に沿って本体部分２３の第２のフレア状端部２８まで、に沿った主筒２５を含むことができる。主筒２５は、本体部分２３の第１のフレア状端部２６によって囲まれる第１のポート２９と、本体部分２３の第２のフレア状端部２８によって制限される第２のポート３０とを規定することができる。
【００１０】
本体部分２３は、本体部分２３の第１のフレア状端部２６に隣接する第１のネジ部２６’’と、第２の本体部分２３の第２のフレア状端部２８に隣接するネジ部２８’’とを含むことができる。各ネジ部２６’’、２８’’は、外径ＯＤＴＰを含むことができ、各フレア状端部２６、２８は、外径ＯＤＦＥを含むことができる。特有の態様において、ＯＤＦＥは、ＯＤＦＥ＜ＯＤＴＰになり得る。
【００１１】
例えば、ＯＤＦＥは、ＯＤＦＥ≦ＯＤＴＰの９５％、ＯＤＦＥ≦ＯＤＴＰの９０％、またはＯＤＦＥ≦ＯＤＴＰの８５％になり得る。さらに、ＯＤＦＥは、ＯＤＦＥ≦ＯＤＴＰの７５％、またはＯＤＦＥ≦ＯＤＴＰの８０％など、ＯＤＦＥ≦ＯＤＴＰの７０％になり得る。別の態様において、ＯＤＦＥは、本明細書に記載したＯＤＴＰ値の％のいずれかの間の範囲内になり得るし、それらを含む範囲内になり得る。
【００１２】
例えば、ＯＤＦＥは、ＯＤＦＥ≦ＯＤＴＰの９５％且つＯＤＦＥ≧ＯＤＴＰの７０％、ＯＤＦＥ≦ＯＤＴＰの９５％且つＯＤＦＥ≧ＯＤＴＰの７５％、またはＯＤＦＥ≦ＯＤＴＰの９５％且つＯＤＦＥ≧ＯＤＴＰの８０％になり得る。ＯＤＦＥは、ＯＤＦＥ≦ＯＤＴＰの９０％且つＯＤＦＥ≧ＯＤＴＰの７０％、ＯＤＦＥ≦ＯＤＴＰの９０％且つＯＤＦＥ≧ＯＤＴＰの７５％、またはＯＤＦＥ≦ＯＤＴＰの９０％且つＯＤＦＥ≧ＯＤＴＰの８０％になり得る。ＯＤＦＥは、ＯＤＦＥ≦ＯＤＴＰの８５％且つＯＤＦＥ≧ＯＤＴＰの７０％、ＯＤＦＥ≦ＯＤＴＰの８５％且つＯＤＦＥ≧ＯＤＴＰの７５％、またはＯＤＦＥ≦ＯＤＴＰの８５％且つＯＤＦＥ≧ＯＤＴＰの８０％になり得る。
【００１３】
図示するように、第１のネジ部２６’’は、第１の傾斜面２６’と第１のネジ部２６’’との間の本体部分２３の第１のフレア状端部２６の周囲で第１の導管係合領域２６’’’を規定もしくは確立するために、第１のフレア状端部２６の第１の傾斜面２６’から距離を置くことができる。第２のネジ部２８’’は、第２の傾斜面２８’と第２のネジ部２８’’との間の本体部分２３の第１のフレア状端部２８の周囲で第２の導管係合領域２８’’’を規定もしくは確立するために、第２のフレア状端部２８の第２の傾斜面２８’から距離を置くことができる。
【００１４】
各導管係合領域２６’’’、２８’’’は、長さＬＣＥＡを有することができ、各ネジ部は、長さＬＴＰを有することができる。図５に図示するように、ＬＣＥＡは、ＬＣＥＡ＜ＬＴＰになり得る。例えば、ＬＣＥＡは、ＬＣＥＡ≦ＬＴＰの９５％、ＬＣＥＡ≦ＬＴＰの９０％、またはＬＣＥＡ≦ＬＴＰの８５％になり得る。さらに、ＬＣＥＡは、ＬＣＥＡ≦ＬＴＰの７５％、またはＬＣＥＡ≦ＬＴＰの８０％など、ＬＣＥＡ≦ＬＴＰの７０％になり得る。特有の態様において、ＬＣＥＡは、本明細書に記載したＬＴＰ値の％のいずれかの間の範囲内になり得るし、それらを含む範囲内になり得る。例えば、ＬＣＥＡは、ＬＣＥＡ≦ＬＴＰの９５％且つＬＣＥＡ≧ＬＴＰの７５％、またはＬＣＥＡ≦ＬＴＰの９５％且つＬＣＥＡ≧ＬＴＰの８０％など、ＬＣＥＡ≦ＬＴＰの９５％且つＬＣＥＡ≧ＬＴＰの７０％になり得る。さらに、ＬＣＥＡは、ＬＣＥＡ≦ＬＴＰの９０％且つＬＣＥＡ≧ＬＴＰの７５％、またはＬＣＥＡ≦ＬＴＰの９０％且つＬＣＥＡ≧ＬＴＰの８０％など、ＬＣＥＡ≦ＬＴＰの９０％且つＬＣＥＡ≧ＬＴＰの７０％になり得る。また、ＬＣＥＡは、ＬＣＥＡ≦ＬＴＰの８５％且つＬＣＥＡ≧ＬＴＰの７５％、またはＬＣＥＡ≦ＬＴＰの８５％且つＬＣＥＡ≧ＬＴＰの８０％など、ＬＣＥＡ≦ＬＴＰの８５％且つＬＣＥＡ≧ＬＴＰの７０％になり得る。
【００１５】
図５は、本体部分２３の第１のフレア状端部２６の周囲で第１のフレアナット３１を第１のネジ部２６’’に螺合することができることをさらに示す。さらに、第２のフレアナット３２は、本体部分２３の第２のフレア状端部２８の周囲で第２のネジ部２８’’に螺合することができる。
【００１６】
特有の態様において、第１の導管３３、すなわち、およびその端部は、第１の導管係合領域２６’’’に少なくとも部分的に沿ってまたはその周囲で、本体部分２３の第１のフレア状端部２６の周囲に備え付けることができ、その結果、第１のフレア状端部２６を囲む第１の導管係合領域２６’’’が、第１の導管３３の端部の中に少なくとも部分的に延伸する。第１のフレアナット３１は、第１の導管３３上に備え付けられ、第１のネジ部２６’’に係合することができる。第１のフレアナット３１が第１のネジ部２６’’上に締め付けられるにつれて、第１の導管３３の端部は、第１のフレアナット３１の内側表面と、本体２４の第１のフレア状端部２６の外側表面との間でしっかり接続することができる。
【００１７】
同様に、第２の導管３４の端部は、第２の導管係合領域２８’’’に沿って、本体部分２３の第２のフレア状端部２８の周囲に少なくとも部分的に備え付けることができ、その結果、第２のフレア状端部２８の周囲に形成された第２の導管係合領域２８’’’が、第２の導管３４の端部の中に少なくとも部分的に延伸する。第２のフレアナット３２は、第１の導管３４上に備え付けられ、第２のネジ部２８’’に係合することができる。第２のフレアナット３２が第２のネジ部２６’’上に締め付けられるにつれて、第２の導管３４の端部は、第２のフレアナット３２の内側表面と、本体２４の第２のフレア状端部２８の外側表面との間でしっかり接続することができる。
【００１８】
導管３３、３４を接続するためにフレアナット３１、３２を用いることの代替案として、導管３３、３４は、ヒューズボンド、化学的溶接、または永続的な接着または溶接を形成する他のいくつかの適切な方法を用いることによって、配管継手２１の本体２４に永続的に付着することができる。
【００１９】
図５に戻ると、バルブフィッティング２１の本体２２の周辺体部分２４は、本体部分２３内に形成された主筒２５から延伸することができるサンプリング孔３５により形成することができ、サンプリング孔３５は、主筒２５と流体連通することができる。特有の態様において、サンプリング孔３５は、主軸２７に対して実質的に垂直なサンプリング軸３７に沿って延伸することができる。さらに、サンプリング孔３５は、第１の部分３６と第２の部分３８とを含むことができる。
【００２０】
図示するように、サンプリング孔３５の第１の部分３６は、内径ＩＤｓｂ１を有することができ、サンプリング孔３５の第２の部分３８は、内径ＩＤｓｂ２を有することができる。特有の態様において、ＩＤｓｂ１は、ＩＤｓｂ１＜ＩＤｓｂ２になり得るし、フレア状面４５を、サンプリング孔３５の第１の部分３６とサンプリング孔３５の第２の部分３８との間の境界において周辺体部分２４の内部壁内に形成することができる。例えば、ＩＤｓｂ１は、ＩＤｓｂ１＜ＩＤｓｂ２の７５％、またはＩＤｓｂ１＜ＩＤｓｂ２の７０％など、ＩＤｓｂ１＜ＩＤｓｂ２の８０％になり得る。さらに、ＩＤｓｂ１は、ＩＤｓｂ１＞ＩＤｓｂ２の５５％、またはＩＤｓｂ１＞ＩＤｓｂ２の６０％など、ＩＤｓｂ１＞ＩＤｓｂ２の５０％になり得る。
【００２１】
別の態様において、ＩＤｓｂ１は、本明細書に記載したＩＤｓｂ２値の％のいずれかの間の範囲内になり得るし、それらを含む範囲内になり得る。例えば、ＩＤｓｂ１は、ＩＤｓｂ１＜ＩＤｓｂ２の８０％且つＩＤｓｂ１＞ＩＤｓｂ２の５５％、またはＩＤｓｂ１＜ＩＤｓｂ２の８０％且つＩＤｓｂ１＞ＩＤｓｂ２の６０％など、ＩＤｓｂ１＜ＩＤｓｂ２の８０％且つＩＤｓｂ１＞ＩＤｓｂ２の５０％になり得る。別の態様において、ＩＤｓｂ１は、ＩＤｓｂ１＜ＩＤｓｂ２の７５％且つＩＤｓｂ１＞ＩＤｓｂ２の５５％、またはＩＤｓｂ１＜ＩＤｓｂ２の７５％且つＩＤｓｂ１＞ＩＤｓｂ２の６０％など、ＩＤｓｂ１＜ＩＤｓｂ２の７５％且つＩＤｓｂ１＞ＩＤｓｂ２の５０％になり得る。また、ＩＤｓｂ１は、ＩＤｓｂ１＜ＩＤｓｂ２の７０％且つＩＤｓｂ１＞ＩＤｓｂ２の５５％、またはＩＤｓｂ１＜ＩＤｓｂ２の７０％且つＩＤｓｂ１＞ＩＤｓｂ２の６０％など、ＩＤｓｂ１＜ＩＤｓｂ２の７０％且つＩＤｓｂ１＞ＩＤｓｂ２の５０％になり得る。
【００２２】
別の態様において、本体部分２３の主筒２５は、主筒２５の長さに沿って、実質的に一定の内径ＩＤｍｂを有することができる。さらに、この態様において、ＩＤｓｂ１は、ＩＤｓｂ１＜ＩＤｍｂになり得る。例えば、ＩＤｓｂ１は、ＩＤｓｂ１≦ＩＤｍｂの３７．５％、ＩＤｓｂ１≦ＩＤｍｂの３５．０％、またはＩＤｓｂ１≦ＩＤｍｂの３０％など、ＩＤｓｂ１≦ＩＤｍｂの４０．０％になり得る。さらに、ＩＤｓｂ１は、ＩＤｓｂ１≧ＩＤｍｂの２０．０％、またはＩＤｓｂ１≧ＩＤｍｂの２５．０％など、ＩＤｓｂ１≧ＩＤｍｂの１５．０％になり得る。
【００２３】
別の態様において、ＩＤｓｂ１は、本明細書に記載したＩＤｍｂ値の％のいずれかの間の範囲内になり得るし、それらを含む範囲内になり得る。例えば、ＩＤｓｂ１は、ＩＤｓｂ１≦ＩＤｍｂの４０．０％且つＩＤｓｂ１≧ＩＤｍｂの２０．０％、またはＩＤｓｂ１≦ＩＤｍｂの４０．０％且つＩＤｓｂ１≧ＩＤｍｂの２５．０％など、ＩＤｓｂ１≦ＩＤｍｂの４０．０％且つＩＤｓｂ１≧ＩＤｍｂの１５．０％になり得る。別の態様において、ＩＤｓｂ１は、ＩＤｓｂ１≦ＩＤｍｂの３７．５％且つＩＤｓｂ１≧ＩＤｍｂの２０．０％、またはＩＤｓｂ１≦ＩＤｍｂの３７．５％且つＩＤｓｂ１≧ＩＤｍｂの２５．０％など、ＩＤｓｂ１≦ＩＤｍｂの３７．５％且つＩＤｓｂ１≧ＩＤｍｂの１５．０％になり得る。さらに、ＩＤｓｂ１は、ＩＤｓｂ１≦ＩＤｍｂの３５．０％且つＩＤｓｂ１≧ＩＤｍｂの２０．０％、またはＩＤｓｂ１≦ＩＤｍｂの３５．０％且つＩＤｓｂ１≧ＩＤｍｂの２５．０％など、ＩＤｓｂ１≦ＩＤｍｂの３５．０％且つＩＤｓｂ１≧ＩＤｍｂの１５．０％になり得る。また、ＩＤｓｂ１は、ＩＤｓｂ１≦ＩＤｍｂの３０．０％且つＩＤｓｂ１≧ＩＤｍｂの２０．０％、またはＩＤｓｂ１≦ＩＤｍｂの３０．０％且つＩＤｓｂ１≧ＩＤｍｂの２５．０％など、ＩＤｓｂ１≦ＩＤｍｂの３０．０％且つＩＤｓｂ１≧ＩＤｍｂの１５．０％になり得る。
【００２４】
図５に示すように、本体２２の周辺体部分２４は、サンプリング孔３５の第１の部分３６を通じて調整した第１の外径ＯＤＰ１と、サンプリング孔３５の第２の部分３８を通じて調整した第２の外径ＯＤＰ２とを含むことができる。特有の態様において、図５に図示するように、ＯＤＰ１は、ＯＤＰ１＜ＯＤＰ２になり得る。例えば、ＯＤＰ１は、ＯＤＰ１＜ＯＤＰ２の８０％、またはＯＤＰ１＜ＯＤＰ２の７５％など、ＯＤＰ１＜ＯＤＰ２の８５％になり得る。さらに、ＯＤＰ１は、ＯＤＰ１＞ＯＤＰ２の６５％、またはＯＤＰ１＞ＯＤＰ２の７０％など、ＯＤＰ１＞ＯＤＰ２の６０％になり得る。
【００２５】
別の態様において、ＯＤＰ１は、本明細書に記載したＯＤＰ２値の％のいずれかの間の範囲内になり得るし、それらを含む範囲内になり得る。例えば、ＯＤＰ１は、ＯＤＰ１＜ＯＤＰ２の８５％且つＯＤＰ１＞ＯＤＰ２の６５％、またはＯＤＰ１＜ＯＤＰ２の８５％且つＯＤＰ１＞ＯＤＰ２の７０％など、ＯＤＰ１＜ＯＤＰ２の８５％且つＯＤＰ１＞ＯＤＰ２の６０％になり得る。別の態様において、ＯＤＰ１は、ＯＤＰ１＜ＯＤＰ２の８０％且つＯＤＰ１＞ＯＤＰ２の６５％、またはＯＤＰ１＜ＯＤＰ２の８０％且つＯＤＰ１＞ＯＤＰ２の７０％など、ＯＤＰ１＜ＯＤＰ２の８０％且つＯＤＰ１＞ＯＤＰ２の６０％になり得る。さらに、ＯＤＰ１は、ＯＤＰ１＜ＯＤＰ２の７５％且つＯＤＰ１＞ＯＤＰ２の６５％、またはＯＤＰ１＜ＯＤＰ２の７５％且つＯＤＰ１＞ＯＤＰ２の７０％など、ＯＤＰ１＜ＯＤＰ２の７５％且つＯＤＰ１＞ＯＤＰ２の６０％になり得る。
【００２６】
図５は、本体２２の周辺体部分２４が、フレア状面または傾斜面４７により形成することができる遠位端部４６を含むことができることを示す。また、第３のネジ式フレアナット３９を、本体２２の周辺体部分２４の遠位端部４６の周囲に備え付けることができる。サンプリングバルブアセンブリ４１は、配管継手２１の本体２２にサンプリングバルブアセンブリ４１を係合するために第３のフレアナット３９に螺合することができる。
【００２７】
具体的には、サンプリングバルブアセンブリ４１は、バルブ本体６０を含むことができる。送込管６１は、バルブ本体６０から延伸することができる。排出管６３は、送込管６１に対して実質的に垂直なバルブ本体６０から延伸することができる。送込管６１は、配管継手２１の本体２２の周辺体部分２４内に形成されたサンプリング孔３５の第２の部分３８の中に嵌合するように、所定のサイズで形成される第１の部分６５を含むことができる。サンプリングバルブアセンブリ４１の送込管６１は、また、送込管６１の第１の部分６５に隣接するネジ式の第２の部分６６を含むことができ、ネジ式の第２の部分６６は、配管継手２１の本体２２の周辺体部分２４の周囲に配置される第３のフレアナット３９を螺合するように所定のサイズで形成することができる。
【００２８】
図５に示すように、送込管６１の第１の部分６５は、外径ＯＤＩＴ１を有することができ、ネジ式の第２の部分６６は、外径ＯＤＩＴ２を有することができる。特有の態様において、ＯＤＩＴ１は、ＯＤＩＴ１＜ＯＤＩＴ２になり得る。例えば、ＯＤＩＴ１は、ＯＤＩＴ１＜ＯＤＩＴ２の８０％、またはＯＤＩＴ１＜ＯＤＩＴ２の７５％など、ＯＤＩＴ１＜ＯＤＩＴ２の８５％になり得る。さらに、ＯＤＩＴ１は、ＯＤＩＴ１＞ＯＤＩＴ２の６５％、またはＯＤＩＴ１＞ＯＤＩＴ２の７０％など、ＯＤＩＴ１＞ＯＤＩＴ２の６０％になり得る。
【００２９】
別の態様において、ＯＤＩＴ１は、本明細書に記載したＯＤＩＴ２値の％のいずれかの間の範囲内になり得るし、それらを含む範囲内になり得る。例えば、ＯＤＩＴ１は、ＯＤＩＴ１＜ＯＤＩＴ２の８５％且つＯＤＩＴ１＞ＯＤＩＴ２の６５％、またはＯＤＩＴ１＜ＯＤＩＴ２の８５％且つＯＤＩＴ１＞ＯＤＩＴ２の７０％など、ＯＤＩＴ１＜ＯＤＩＴ２の８５％且つＯＤＩＴ１＞ＯＤＩＴ２の６０％になり得る。別の態様において、ＯＤＩＴ１は、ＯＤＩＴ１＜ＯＤＩＴ２の８０％且つＯＤＩＴ１＞ＯＤＩＴ２の６５％、またはＯＤＩＴ１＜ＯＤＩＴ２の８０％且つＯＤＩＴ１＞ＯＤＩＴ２の７０％など、ＯＤＩＴ１＜ＯＤＩＴ２の８０％且つＯＤＩＴ１＞ＯＤＩＴ２の６０％になり得る。さらに、ＯＤＩＴ１は、ＯＤＩＴ１＜ＯＤＩＴ２の７５％且つＯＤＩＴ１＞ＯＤＩＴ２の６５％、またはＯＤＩＴ１＜ＯＤＩＴ２の７５％且つＯＤＩＴ１＞ＯＤＩＴ２の７０％など、ＯＤＩＴ１＜ＯＤＩＴ２の７５％且つＯＤＩＴ１＞ＯＤＩＴ２の６０％になり得る。
【００３０】
図５に示すように、フレア状面４７を、送込管６１の第１の部分６５と第２の部分６６との間の境界において送込管６１の外側表面内に形成することができる。さらに、送込管６１は、フレア状面４７により形成することができる遠位端部６７を含むことができる。
【００３１】
図５に示すように、サンプリングバルブアセンブリ４１が配管継手２１に係合される場合、サンプリングバルブ４２の送込管６１の第１の部分６５は、配管継手２２の本体２２の周辺体部分２４のサンプリング孔３５の第２の端部３８の中に嵌合し、遠位端部６７送込管６１のフレア状面４７を、サンプリング孔３５内に形成されたフレア状面４５に固定することができる。また、送込管６１の第１の部分６５と第２の部分６６との間に形成されたフレア状面４７は、配管継手２２の本体２２の周辺体部分２４の遠位端部４６上に形成されたフレア状面４５に固定され得る。
【００３２】
図５は、サンプリングバルブアセンブリ４１が内部流体室７０を含むことができることを示す。送込管６１の全体の長さ方向に沿って延伸することができる入口孔７５は、送込管６１に隣接するバルブ本体６０を通じて、内部流体室７０において終結することができ、その結果、入口孔７５は、内部流体室７０と流体連通する。入口孔７５は、内径ＩＤＩを有することができ、特有の態様において、ＩＤＩは、ＩＤｓｂ１と同一になり得る。
【００３３】
サンプリングバルブアセンブリ４１は、また、排出管６３に沿って形成された出口孔７７を含むことができる。出口孔７７は、サンプリングバルブアセンブリ４１のバルブ本体６０を通じて延伸し、その結果、出口孔７７は、内部流体室７０と流体連通する。排出管６３は、サンプリングポート５１を囲むことができる遠位端部９０を含むことができる。
【００３４】
図示するように、入口孔７５は、送込管６１の遠位端部６７において終結することができる遠位端部７８を含むことができる。入口孔７５は、また、バルブ本体６０の内部壁において終結することができる近位端部７９を含むことができる。入口孔７５の近位端部７９を、バルブシート８１によって囲むことができる。ステム８２およびヘッド８３を有するバルブ４２は、バルブ４２が入口孔７５に沿って整列するように、サンプリングバルブアセンブリ４１内に備え付けることができる。バルブ４２のヘッド８３は、バルブシート８１を係合するために１つ以上のスプリングによりバルブシート８１に向かって偏向し、且つ入口孔７５を通じて流体の流れを阻止するためにバルブシート８１による封止を確立することができる。動作の間に、バルブ４２は、バルブシート８１から離れてサンプリングバルブアセンブリ４１内に線形に移動することができ、その結果、入口孔７５を通じて流体の流れを可能にし、且つ入口孔７５と内部流体室７０と出口孔７７との間の流体連通を許可するために、バルブ４２のヘッド８３が離脱され、バルブシート８１から距離を置く。
【００３５】
したがって、サンプリングバルブアセンブリ４１を作動させるか、さもなければ開口される場合、配管継手２１の本体２２の本体部分２３の主筒２５を通じて移動する流体のサンプルは、配管継手２１とサンプリングバルブアセンブリ４１との間で流体連通が許可される。さらに、サンプルは、配管継手２１の本体２２の周辺体部分２４のサンプリング孔３５を通じて、サンプリングバルブアセンブリ４１の入口孔７５を通じて、サンプリングバルブアセンブリ４１の内部流体室７０を通じて、およびサンプリングバルブアセンブリ４１の出口孔７７を通じて流動することができる。
【００３６】
特有の態様において、サンプリングバルブアセンブリ４１は、例えば、高圧バルブ（ＨＰＶ）、またはコンパクトなダイアフラムバルブ（ＣＤＶ）を含むことができる。サンプリングバルブアセンブリ４１は、動作圧ＰＯを含むことができ、ＰＯは、ＰＯ≧６５ポンド平方インチ（ｐｓｉ）、ＰＯ≧７０ポンド平方インチ、ＰＯ≧７５ポンド平方インチ、またはＰＯ≧８０ポンド平方インチなど、ＰＯ≧６０ポンド平方インチになり得る。さらに、ＰＯは、ＰＯ≦１１０ポンド平方インチ、またはＰＯ≦１００ポンド平方インチなど、ＰＯ≦１２０ポンド平方インチになり得る。特有の態様において、ＰＯは、本明細書に記載したＰＯの値の％のいずれかの間の範囲内になり得るし、それらを含む範囲内になり得る。例えば、ＰＯは、ＰＯ≧６０ポンド平方インチ且つＰＯ≦１１０ポンド平方インチ、またはＰＯ≧６０ポンド平方インチ且つＰＯ≦１００ポンド平方インチなど、ＰＯ≧６０ポンド平方インチ且つＰＯ≦１２０ポンド平方インチになり得る。ＰＯは、ＰＯ≧６５ポンド平方インチ且つＰＯ≦１１０ポンド平方インチ、またはＰＯ≧６５ポンド平方インチ且つＰＯ≦１００ポンド平方インチなど、ＰＯ≧６５ポンド平方インチ且つＰＯ≦１２０ポンド平方インチになり得る。また、ＰＯは、ＰＯ≧７０ポンド平方インチ且つＰＯ≦１１０ポンド平方インチ、またはＰＯ≧７０ポンド平方インチ且つＰＯ≦１００ポンド平方インチなど、ＰＯ≧７０ポンド平方インチ且つＰＯ≦１２０ポンド平方インチになり得る。ＰＯは、ＰＯ≧７５ポンド平方インチ且つＰＯ≦１１０ポンド平方インチ、またはＰＯ≧７５ポンド平方インチ且つＰＯ≦１００ポンド平方インチなど、ＰＯ≧７５ポンド平方インチ且つＰＯ≦１２０ポンド平方インチになり得る。さらに、ＰＯは、ＰＯ≧８０ポンド平方インチ且つＰＯ≦１１０ポンド平方インチ、またはＰＯ≧８０ポンド平方インチ且つＰＯ≦１００ポンド平方インチなど、ＰＯ≧８０ポンド平方インチ且つＰＯ≦１２０ポンド平方インチになり得る。
【００３７】
サンプリングバルブアセンブリは、図１〜図５および図６〜図９に示すように、圧搾空気により作動させたバルブアセンブリ４１になり得る。あるいは、サンプリングバルブアセンブリは、図１０に図示するように、手動的に作動させたバルブアセンブリになり得る。いずれのケースでも、サンプリングバルブを通じて流体を解放し、且つサンプリングバルブアセンブリ４１の排出管６２の遠位端部９０によって囲まれたサンプリングポート５１の外に出すために、プランジャまたはバルブを作動させることができる。
【００３８】
特有の態様において、排出管６３の遠位端部９０は、第４のフレアナット５３によって囲むことができる。配管アセンブリ２０に対して第３の導管９１を接続するために、第４のフレアナット５３を用いることができる。
【００３９】
別の特有の態様において、出口孔７７および出口孔７７のサンプリングポート５１は、内径ＩＤＯを有することができ、上記のように、入口孔７５は、内径ＩＤＩを有することができる。この態様において、ＩＤＯは、ＩＤＯ≦ＩＤＩになり得る。例えば、ＩＤＯは、ＩＤＯ≦ＩＤＩの６５％、ＩＤＯ≦ＩＤＩの６０％、またはＩＤＯ≦ＩＤＩの５０％など、ＩＤＯ≦ＩＤＩの７０．０％になり得る。さらにＩＤＯは、ＩＤＯ≧ＩＤＩの２５％、またはＩＤＯ≧ＩＤＩの３０％など、ＩＤＯ≧ＩＤＩの２０％になり得る。ＩＤＯは、本明細書に記載したＩＤＩ値の％のいずれかの間の範囲内になり得るし、それらを含む範囲内になり得る。例えば、ＩＤＯは、ＩＤＯ≦ＩＤＩの７０％且つＩＤＯ≧ＩＤＩの２５％、またはＩＤＯ≦ＩＤＩの７０％且つＩＤＯ≧ＩＤＩの３０％など、ＩＤＯ≦ＩＤＩの７０％且つＩＤＯ≧ＩＤＩの２０％になり得る。ＩＤＯは、ＩＤＯ≦ＩＤＩの６５％且つＩＤＯ≧ＩＤＩの２５％、またはＩＤＯ≦ＩＤＩの６５％且つＩＤＯ≧ＩＤＩの３０％など、ＩＤＯ≦ＩＤＩの６５％且つＩＤＯ≧ＩＤＩの２０％になり得る。別の態様において、ＩＤＯは、ＩＤＯ≦ＩＤＩの６０％且つＩＤＯ≧ＩＤＩの２５％、またはＩＤＯ≦ＩＤＩの６０％且つＩＤＯ≧ＩＤＩの３０％など、ＩＤＯ≦ＩＤＩの６０％且つＩＤＯ≧ＩＤＩの２０％になり得る。また、ＩＤＯは、ＩＤＯ≦ＩＤＩの５０％且つＩＤＯ≧ＩＤＩの２５％、またはＩＤＯ≦ＩＤＩの５０％且つＩＤＯ≧ＩＤＩの３０％など、ＩＤＯ≦ＩＤＩの５０％且つＩＤＯ≧ＩＤＩの２０％になり得る。
【００４０】
図示した実施形態の各々において、サンプリングバルブアセンブリ４１、例えばサンプリングバルブアセンブリ４１の送込管６１は、一部たりとも、配管継手２１の本体２２の本体部分２３内に形成された主筒２５の中へ延伸しない。そのため、主筒２５は、完全に妨げられていない。さらに、サンプリングバルブアセンブリ４１の使用は、主筒２５内の主筒を通じて流体を流動する際に（例えば、第１のポート２９と第２のポート３０との間で）圧力降下を実質的に与えない。
【００４１】
特有の態様において、配管継手２１を通じた流体の流動は、動作圧Ｐを有することができ、サンプリングバルブによってもたらされる圧力降下Ｐｄは、Ｐｄ≦Ｐの０．７５％、またはＰｄ≦Ｐの０．５％など、Ｐｄ≦Ｐの１．０％になり得る。別の態様において、Ｐｄは、Ｐｄ≧Ｐの０．１％、またはＰｄ≧Ｐの０．２５％など、Ｐｄ≧Ｐの０．０５％になり得る。さらに、Ｐｄは、本明細書に記載したＰ値の％のいずれかの間の範囲内になり得るし、それらを含む範囲内になり得る。Ｐｄは、Ｐｄ≦Ｐの１．０％且つＰｄ≧Ｐの０．１％、またはＰｄ≦Ｐの１．０％且つＰｄ≧Ｐの０．２５％など、Ｐｄ≦Ｐの１．０％且つＰｄ≧Ｐの０．０５％になり得る。Ｐｄは、Ｐｄ≦Ｐの０．７５％且つＰｄ≧Ｐの０．１％、またはＰｄ≦Ｐの０．７５％且つＰｄ≧Ｐの０．２５％など、Ｐｄ≦Ｐの０．７５％且つＰｄ≧Ｐの０．０５％になり得る。また、Ｐｄは、Ｐｄ≦Ｐの０．５％且つＰｄ≧Ｐの０．１％、またはＰｄ≦Ｐの０．５％且つＰｄ≧Ｐの０．２５％など、Ｐｄ≦Ｐの０．５％且つＰｄ≧Ｐの０．０５％になり得る。
【００４２】
特有の態様において、フレアナット３１、３２、３９および５３の各々は、手動の回転を容易にするために外部テクスチャ５５（例えば、軸方向リブなど）を含むことができる。いくつかの適用において、リブ付きナットは、流出圧力の下での薬液漏れをしないことを確実にするツールとのインタフェースを確立するテフロン（登録商標）ＰＦＡ材料を備えてもよい。
【００４３】
特有の態様において、バルブアセンブリ４１の送込管６１に第３のフレアナット３９を螺合することができる一方で、第３のフレアナット３９は、配管継手２１の本体２２の周辺体部分２４のまわりを自由に回転することができることは、評価することができる。したがって、サンプリングバルブアセンブリ４１が配管継手２１に係合される場合、サンプリングバルブアセンブリ４１は、サンプリング軸３７のまわりを回転することができ、その結果、出口孔７７およびサンプリングポート５１を通じて延伸する出口軸１００は、主軸２７に対するサンプリング角度を形成することができる。図４に示すように、サンプリング角度は、０°〜３６０°の間、および０°〜３６０°を含む任意の角度になり得る。
【００４４】
例えば、０°において、出口軸１００は、主軸２７に対して平行になり得るし、サンプリングバルブ４１のサンプリングポート５１は、主軸２７に対して平行な第１の方向に面することができる。１８０°において、サンプリングバルブ４１のサンプリングポート５１は、また、主軸２７に対して平行であるが、第１の方向とは反対の第２の方向に面することができる。９０°において、サンプリングバルブ４１のサンプリングポート５１は、主軸２７に対して垂直な第３の方向に面することができる。２７０°において、サンプリングバルブ４１のサンプリングポート５１は、また、主軸２７に対して垂直であるが、第３の方向とは反対の第４の方向に面することができる。さらに、上記のように、出口ポート５１は、０°〜３６０°の間の範囲内および０°〜３６０°を含む範囲内で、主軸２７に対する任意の角度で回転することができる。そのため、サンプリングを容易にするために使用の間に、サンプリングバルブ４１の位置を変えることができる。
【００４５】
ここでは図１１を参照すると、配管システムが図示されており、概して、符号１０１で指定される。図１１に示すように、配管システム１０１は、バルブ（例えば遮断バルブ）１０３と、本明細書に記載されるようなサンプリングバルブ４１に接続される配管継手２１と、遮断バルブ１０３から配管２１まで、およびその配管継手２１から下流に延びる導管１０４とを備えてもよい。特有の態様において、遮断バルブ１０３の閉止は、配管継手２１の本体２２からサンプリングバルブアセンブリ４１を取り外することを可能にし、別の器具と交替することを可能にすることができる。
【００４６】
他の器具は、別のサンプリングバルブアセンブリ４１を備えてもよい。この構成は、また、脱イオン水または窒素ガスのような流体によるフラッシングなどの、システム１０１の浄化を可能にする。
【００４７】
但し、器具のさらなる他の実施形態は、圧力計と、静的ミキサと、温度計と、速度計と、比重計と、プラグとのうちの少なくとも１つを備えてもよい。サンプリングバルブアセンブリ４１が配管継手２１から取り外される場合に、配管継手２１の第３のフレアナット３９を螺合するために、これらの器具の各々をねじ切りしてもよい。このような器具の形式は、当業者にとって既知であるが、本明細書に詳細に記載するように、容易に着脱可能または交換可能なサンプリングバルブを有するＴ−状の配管継手に互換的に連結可能ではない。
【００４８】
本明細書は、最良のモードを含む実施形態を開示し、さらに、当業者が実施形態を実施および使用するのを可能にする例を使用する。特許を受けることができる範囲は、特許請求の範囲によって定義され、当業者が見出す他の例を含むことができる。そのような他の例は、特許請求の範囲の文字通りの用語と異ならない構造要素を有する場合か、または特許請求の範囲の文字通りの用語と実質的に異ならない均等の構造要素を含む場合に、特許請求の範囲内であるものと意図する。
【００４９】
一般的な記述または実施例で先に記述された動作のすべてを必要とするわけではなく、特別な動作の一部を必要としなくてもよく、ひとつ以上のさらなる動作を記述したものに加えて実施されてもよいことに留意されたい。さらに、列記した動作の順序は、必ずしも実施された動作である必要はない。
【００５０】
前述の明細書において、概念を、実施形態を参照して記載した。しかしながら、当業者は、本発明の様々な改良および変更が以下の特許請求の範囲で規定される範囲から逸脱せずに、なし得ることを理解するであろう。したがって、本明細書および図面は、限定的意味というよりはむしろ例示であると見なすべきであり、すべてのそのような改良は、本発明の範囲内に含まれるものと意図する。
【００５１】
本明細書で用いる「備える（ｃｏｍｐｒｉｓｅｓ）」、「備える（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」または、これらの用語の他の任意のバリエーションは、非排他的な包含を網羅することを意図する。例えば、特徴のリストを含むプロセス、方法、物品または装置は、必ずしもこれらの特徴のみに限定されるものではなく、明示的にリストアップされていない他の特徴、または、そのようなプロセス、方法、物品または装置に固有の他の特徴を含んでいてもよい。さらに、明確な反対の記述がない限り、「または（ｏｒ）」は、包含的な「または（ｏｒ）」であって、排他的な「または（ｏｒ）」ではない。例えば、条件ＡまたはＢは、以下のいずれか１つを満たす。Ａは真（または存在する）であり、Ｂは偽（または存在しない）である、Ａは偽（または存在しない）であり、Ｂは真（または存在する）である、並びにＡおよびＢの双方が真（または存在する）である。
【００５２】
また、「ａ」または「ａｎ」の使用は、本明細書に記載される要素および構成を記載するために使用される。これは、単に便宜的になされるものであり、本発明の範囲の一般的な意味を与えるものである。この記載は、１つまたは少なくとも１つを含むように解釈するべきであり、単数形は、それが別の意味であることが明らかでない限り、複数形をも含む。
【００５３】
利点、他の有利性および問題の解決策を、特定の実施形態に関して以上に記載した。しかしながら、任意の利点、有利性、問題の解決策をさらに明確に生じさせる、または、さらに明確にする、利点、有利性、問題の解決策は、特許請求の範囲のいずれかまたは全ての不可欠な特徴、必要とされる特徴、または本質的な特徴として解釈するべきではない。
【００５４】
本明細書を読めば、当業者は、ある特徴が明確さのために別々の実施形態の文脈で本明細書に記載されており、単一の実地形態で組み合わせて提供されていてもよいことを理解することになる。逆に、簡潔さのために、単一の実施形態との関連で記載される様々な特徴を、個別にまたは任意の部分的組み合わせで提供してもよい。さらに、ある範囲で記述された数値への参照は、その範囲内の各々の数値およびあらゆる数値を含む。
【図１】
0006022592.tif 000002
【図２】
0006022592.tif 000003
【図３】
0006022592.tif 000004
【図４】
0006022592.tif 000005
【図５】
0006022592.tif 000006
【図６】
0006022592.tif 000007
【図７】
0006022592.tif 000008
【図８】
0006022592.tif 000009
【図９】
0006022592.tif 000010
【図１０】
0006022592.tif 000011
【図１１】
0006022592.tif 000012